(57)【特許請求の範囲】
【請求項１】
地中に埋設される排水管路に接続されるとともに蓋受け枠に蓋を着脱自在に取付けるグリーストラップにおける内部への水の浸入を防止する方法であって、
環状のくぼみ部が形成された前記蓋受け枠には、前記くぼみ部に流入した水を排出するための排水口を予め形成し、
前記グリーストラップを地中に設置する際に、前記排水口と連通する導水穴を地中に縦方向に形成することにより、
前記くぼみ部内の前記流入水を、前記排水口から前記導水穴を流して地中に浸透させ、
前記排水口は前記蓋受け枠の底部に形成された貫通孔であり、前記導水穴は、前記グリーストラップを地中に設置する際に、棒状部材を前記貫通孔に挿通して縦方向に配置した状態で前記グリーストラップを地中に固定したのち前記棒状部材を抜き取ることにより形成することを特徴とするグリーストラップにおける水の浸入防止方法。
【請求項２】
前記蓋受け枠は、ほぼＵ字形の断面形状を有して環状に一体形成されるとともに前記グリーストラップの容器本体に対してシールされて固定され、
前記蓋と前記蓋受け枠との接触部を弾性部材でシールしたことを特徴とする請求項１に記載のグリーストラップにおける水の浸入防止方法。
【請求項３】
前記蓋受け枠は、前記グリーストラップの容器本体の上端縁に一体的に形成されるとともに前記底部と外側立ち上がり部とを備え、
前記底部における前記グリーストラップの内部側の上面に固着された弾性部材と、前記底部および前記外側立ち上がり部とにより前記くぼみ部を形成し、
前記底部に前記排水口を穿設したことを特徴とする請求項１に記載のグリーストラップにおける水の浸入防止方法。
【請求項４】
前記蓋は、出没自在に取付けられた取っ手と、この取っ手の摺動部をシールして、前記蓋の上面の水が前記グリーストラップの内部に浸入することを防止するシール部材とを備えたことを特徴とする請求項１，２または３に記載のグリーストラップにおける水の浸入防止方法。
【請求項５】
地中に埋設される排水管路に接続されるとともに蓋受け枠に蓋を着脱自在に取付けるグリーストラップにおける内部への水の浸入を防止する装置であって、
環状のくぼみ部が形成された前記蓋受け枠に、前記くぼみ部に流入した水を排出するための排水口を形成し、この排水口と連通する導水穴を地中に縦方向に形成し、前記くぼみ部内の前記流入水を、前記排水口から前記導水穴を流して地中に浸透させ、
前記排水口は前記蓋受け枠の底部に形成された貫通孔であり、前記導水穴は、前記グリーストラップを地中に設置する際に、棒状部材を前記貫通孔に挿通して縦方向に配置した状態で前記グリーストラップを地中に固定したのち前記棒状部材を抜き取ることにより形成されたことを特徴とするグリーストラップにおける水の浸入防止装置。
【請求項６】
前記蓋受け枠は、ほぼＵ字形の断面形状を有して環状に一体形成されるとともに前記グリーストラップの容器本体に対してシールされて固定され、
前記蓋と前記蓋受け枠との接触部を弾性部材でシールしたことを特徴とする請求項５に記載のグリーストラップにおける水の浸入防止装置。
【請求項７】
前記蓋受け枠は、前記グリーストラップの容器本体の上端縁に一体的に形成されるとともに前記底部と外側立ち上がり部とを備え、
前記底部における前記グリーストラップの内部側の上面に固着された弾性部材と、前記底部および前記外側立ち上がり部とにより前記くぼみ部を形成し、
前記底部に前記排水口を穿設したことを特徴とする請求項５に記載のグリーストラップにおける水の浸入防止装置。
【請求項８】
前記蓋は、出没自在に取付けられた取っ手と、この取っ手の摺動部をシールして、前記蓋の上面の水が前記グリーストラップの内部に浸入することを防止するシール部材とを備えたことを特徴とする請求項５，６または７に記載のグリーストラップにおける水の浸入防止装置。
【発明の詳細な説明】
【０００１】
【発明の属する技術分野】
本発明は、地中に埋設される排水管路に接続されるグリーストラップにおいてその内部への水の浸入を防止する方法およびその装置に関する。
【０００２】
【従来の技術】
住宅や各種店舗における風呂，台所，厨房，洗面所，トイレなど排水発生源から排出される排水は、宅地や敷地内の地中に埋設された排水流入管を流れ、複数の流れの合流地点に設置された排水桝（宅内桝）で合流したのち排水流出管（排水主管）を流れる。
そして、排水は、宅地や敷地の内部または外部に設置された公共桝と、これに接続される排水管とを流れた後、宅地や敷地外の公共の下水道本管に排出される。
【０００３】
各種排水発生源のうち、住宅の台所，飲食店やレストランの厨房，ガソリンスタンド等から排出される排水には、油分やごみ（固形物）が含まれていることが多い。このような油分やごみを含む排水をそのまま下水道本管に排出すると、下水処理場における下水処理の妨げになるばかりでなく、管路の閉塞の原因にもなる。
そこで、このような排水が流れる排水管路には、ごみを阻集し油分を分離するグリーストラップを接続することが多い。このグリーストラップは排水桝の一種であるが、排水中から少なくとも油分を分離する機能を有している。
【０００４】
ところで、前記排水流入管，下水道本管などにより構成される排水管路は、全体的に密閉構造になっている。公共桝のような排水桝も、蓋を開けることは少ないので、その蓋は良好なシール構造で桝本体に取付けられて密閉構造になっている。
これは、雨水や地下水などいわゆる不明水が排水管路に浸入すると、排水量が増加して下水処理場の負荷が増すという問題があり、また、台風の時などに排水管路に雨水が浸入すると、下流側の住宅の排水桝から雨水を含んだ汚水が吹き出すことがあるからである。
【０００５】
【発明が解決しようとする課題】
このように、全体的に密閉構造が要求される排水管路を構成する構成部材のうち、グリーストラップについては、分離された油分やごみの除去作用や点検作用を頻繁に行う必要がある。
そのため、グリーストラップの蓋は、蓋受け枠に着脱自在に取付けられて簡単に開閉操作できるようになっているので、従来から、雨水などがグリーストラップの内部に浸入することを防止するための対策はほとんどとられていなかった。
【０００６】
図１０は従来のグリーストラップの一部を示す断面図である。
図１０に示すように、従来のグリーストラップ１においては、容器本体２に蓋受け枠３が固定されている。補強部材４を有する蓋５は、蓋受け枠３に着脱自在に取付けられる。
蓋受け枠３にゴム製のパッキン６を固定することにより、蓋５の補強部材４と蓋受け枠３との間をシールしている。
【０００７】
蓋５の周囲と蓋受け枠３との間には隙間７があるので、雨水８は、この隙間７を通ってスペース９内に流れ込む。蓋５の補強部材４がパッキン６上に載置されるが、補強部材４とパッキン６とは完全に密着しているわけではないので、スペース９内への流入水１０は、補強部材４とパッキン６との間の隙間を通って、グリーストラップ１の内部１０に浸入する。
【０００８】
本発明は、このような課題を解決するためになされたもので、グリーストラップにおける蓋受け枠と蓋との間から雨水などがグリーストラップ内に浸入することを防止する方法およびその装置を提供することを目的とする。
【０００９】
【課題を解決するための手段】
上述の目的を達成するため、本発明にかかるグリーストラップにおける水の浸入防止方法は、地中に埋設される排水管路に接続されるとともに蓋受け枠に蓋を着脱自在に取付けるグリーストラップにおける内部への水の浸入を防止する方法であって、環状のくぼみ部が形成された前記蓋受け枠には、前記くぼみ部に流入した水を排出するための排水口を予め形成し、前記グリーストラップを地中に設置する際に、前記排水口と連通する導水穴を地中に縦方向に形成することにより、前記くぼみ部内の前記流入水を、前記排水口から前記導水穴を流して地中に浸透させ、前記排水口は前記蓋受け枠の底部に形成された貫通孔であり、前記導水穴は、前記グリーストラップを地中に設置する際に、棒状部材を前記貫通孔に挿通して縦方向に配置した状態で前記グリーストラップを地中に固定したのち前記棒状部材を抜き取ることにより形成する。
【００１０】
前記方法を実施する上で好適なグリーストラップにおける水の浸入防止装置は、地中に埋設される排水管路に接続されるとともに蓋受け枠に蓋を着脱自在に取付けるグリーストラップにおける内部への水の浸入を防止する装置であって、環状のくぼみ部が形成された前記蓋受け枠に、前記くぼみ部に流入した水を排出するための排水口を形成し、この排水口と連通する導水穴を地中に縦方向に形成し、前記くぼみ部内の前記流入水を、前記排水口から前記導水穴を流して地中に浸透させ、前記排水口は前記蓋受け枠の底部に形成された貫通孔であり、前記導水穴は、前記グリーストラップを地中に設置する際に、棒状部材を前記貫通孔に挿通して縦方向に配置した状態で前記グリーストラップを地中に固定したのち前記棒状部材を抜き取ることにより形成されるようにしている。
【００１１】
前記方法および装置において、前記蓋受け枠は、ほぼＵ字形の断面形状を有して環状に一体形成されるとともに前記グリーストラップの容器本体に対してシールされて固定され、前記蓋と前記蓋受け枠との接触部を弾性部材でシールするのが好ましい。
【００１２】
なお、前記方法および装置において、前記蓋受け枠は、前記グリーストラップの容器本体の上端縁に一体的に形成されるとともに前記底部と外側立ち上がり部とを備え、前記底部における前記グリーストラップの内部側の上面に固着された弾性部材と、前記底部および前記外側立ち上がり部とにより前記くぼみ部を形成し、前記底部に前記排水口を穿設する場合であってもよい。
【００１３】
また、前記方法および装置において、前記蓋は、出没自在に取付けられた取っ手と、この取っ手の摺動部をシールして、前記蓋の上面の水が前記グリーストラップの内部に浸入することを防止するシール部材とを備えているのが好ましい。
【００１４】
【発明の実施の形態】
以下、本発明における実施の形態の一例を図１ないし図９を参照して説明する。
【００１５】
（第１の実施形態）
図１はグリーストラップを使用した排水管路の一部を示す透視図である。
住宅の台所，飲食店やレストランの厨房，ガソリンスタンドなど排水発生源からは、油分やごみ（固形物）を含む排水が排出されることが多い。図１では、住宅２０の台所の流し台２１から、油分とごみを含む排水２２が排出されている場合を示している。
【００１６】
排水２２は、流し台２１に接続された排水流入管２３を通ってグリーストラップ２４に流入する。グリーストラップ２４は地中に埋設されており、その容器本体２９内には、常に一定のレベルまで排水２２が溜まっている。
グリーストラップ２４には、排水２２の流入部に配置されたバスケット２５と、バスケット２５の下流側に配置された油水分離部２６とが設けられている。バスケット２５には多数の孔が穿設されているので、バスケット２５内に流入した排水２２からごみが除去される。
【００１７】
油水分離部２６は、傾斜板２７と、排水２２の流路途中に充填された網状の接触材２８とを備えている。排水が油水分離部２６を流れると、排水２２に含まれている油分３０は、傾斜板２７で分離されて水面に浮上する。さらに、接触材２８により水中の油の微粒子も除去される。
こうして、グリーストラップ２４でごみと油分が除去された排水は、グリーストラップ２４に接続された排水流出管３１を流れたのち、合流地点で排水主管（図示せず）に合流する。この合流地点には排水桝が設置されている。
【００１８】
排水桝を通って排水主管を流れた排水は、宅地内または宅地外に設置された別の排水桝である公共桝を通り、排水管を流れて宅地外の大口径の公共の下水道本管に合流する。この下水道本管は、宅地外の道路などの地下深く埋設されている。
排水流入管２３，グリーストラップ２４，排水流出管３１，排水桝，排水主管，公共桝，排水管および下水道本管等により、地中に埋設されて所定の勾配を有する排水管路３２が構成されている。
【００１９】
次に、グリーストラップ２４における内部への水の浸入防止方法およびその装置について説明する。
図２は水の浸入防止のための施工方法を示す部分拡大断面図、図３はグリーストラップ２４の蓋受け枠と蓋を示す斜視図、図４は蓋の取っ手の部分を示す拡大断面図、図５はグリーストラップ２４が据え付けられた後の使用状態を示す部分拡大断面図である。
【００２０】
図１ないし図５に示すように、グリーストラップ２４は、地中に埋設される排水管路３２に接続されるとともに、蓋受け枠３３に２枚の蓋３４を着脱自在に取付けできるようになっている。
容器本体２９は、繊維強化プラスチック（ＦＲＰ），硬質の塩化ビニル樹脂，ポリプロピレンなど合成樹脂を材料として一体成形されている。
蓋受け枠３３は、鉄製の板材により一体成形された一対のユニット３５により構成されている。二つのユニット３５どうしを、複数のボルト・ナット３６など締結部材により連結固定することにより、容器本体２９の上部開口部に対応する矩形状になっている。二つのユニット３５の連結部は、シール剤によりシールされている。
【００２１】
蓋３４は、鉄製の板材により一体成形されており、蓋受け枠３３のユニット３５毎に着脱自在に取付けられる。なお、蓋受け枠３３および蓋３４を、ＦＲＰなど合成樹脂により形成してもよい。
蓋３４を二枚にすることにより軽量化して着脱作業を容易にしている。蓋３４の裏面にＬ字状の補強部材３９を固定することにより、蓋３４の変形を防止している。
蓋３４には、複数の取っ手３７が出没自在に取付けられている。蓋３４には、取っ手３７の摺動部３７ｂをシールするためのシール部材３７ａが設けられている。シール部材３７ａは、蓋３４の上面の水がグリーストラップの内部３８に浸入することを防止している。
【００２２】
本発明では、蓋３４の周囲と蓋受け枠３３との間から雨水８やその他の水がグリーストラップ２４の内部３８に浸入することを防止する対策をとっている。
この方法としては、環状のくぼみ部４０が形成された蓋受け枠３３には、くぼみ部４０に流入した雨水８を排出するための排水口４１を予め形成し、グリーストラップ２４を地中に設置する際に、排出口４１と連通する導水穴４３を地中に縦方向に形成している。なお、本発明で「縦方向」とは、水平方向に対して直交する方向のほか、傾斜している場合も含む。
これにより、くぼみ部４０内の流入水４４を、排水口４１から導水穴４３を流して地中に浸透させるようにしている。
【００２３】
本実施形態では、排水口４１は、蓋受け枠３３の底部４６に形成された貫通孔の場合を示している。貫通孔４１は、蓋受け枠３３のユニット３５の四隅（すなわち、蓋受け枠３３の全体で８箇所）に形成されている。
導水穴４３は、貫通孔４１の下部に縦方向に形成されている。導水穴４３は、グリーストラップ２４を地中に設置する際に、細長いパイプ４７または棒など棒状部材を貫通孔４１に挿通して縦方向に配置した状態でグリーストラップ２４を地中に固定したのち、パイプ４７を抜き取ることにより形成される。パイプ４７としては硬質塩化ビニル製パイプ等が使用される。
導水穴４３は、地中での表面積が大きいほど（すなわち、直径と長さが大きいほど）水の浸透速度が大きくなり、また、土砂７０が砂地であれば浸透速度がさらに大きくなるので好ましい。
【００２４】
蓋受け枠３３を構成する各ユニット３５は、ほぼＵ字形の断面形状を有して矩形環状に一体形成されている。蓋受け枠３３は、水平方向を向く底部４６と、内側立ち上がり部５５および外側立ち上がり部５６とを備えている。内側立ち上がり部５５および外側立ち上がり部５６は、底部４６の内側端と外側端でそれぞれ上方に向けてほぼ垂直に一体的に形成されている。
蓋受け枠３３は、容器本体２９の上端縁５０に、複数のボルト・ナット５１など締結部材を介して締め付け固定されている。
容器本体２９と蓋受け枠３３との接合部５７は、シール部材５２により全周にわたってシールされているので、接合部５７から水がグリーストラップ２４の内部３８に浸入することはない。
【００２５】
蓋受け枠３３の外周面には、外方に突出する複数のアンカー部材４９が固定されている。このアンカー部材４９により、蓋受け枠３３をコンクリート（または、アスファルト）７１に対してしっかりと固定することができる。
アンカー部材４９は、鉄筋用の棒材を蓋受け枠３３に溶接により固定してもよいが、蓋受け枠３３に予めナットを溶接した状態で設置現場まで輸送し、設置現場でボルトをナットにねじ込んでアンカー部材４９にするのが好ましい。
このようにすれば、蓋受け枠３３の輸送時などに、アンカー部材４９が突出しないので、アンカー部材４９などの破損や接触による怪我などを防止することができる。
【００２６】
蓋受け枠３３の上端部と蓋３４との接触部５３を、ゴム製のパッキン５４など弾性部材でシールしている。パッキン５４は、逆さＵ字状に配置され、内側立ち上がり部５５の上端縁の全周にわたって固着されている。したがって、蓋３４を蓋受け枠３３の上に載せれば、接触部５３はパッキン５４によりシールされる。
前記方法を実施する上で好適な水の浸入防止装置４８は、環状のくぼみ部４０が形成された蓋受け枠３３に、くぼみ部４０に流入した水４４を排出するための排水口４１を形成し、排水口４１と連通する導水穴４３を地中に縦方向に形成し、くぼみ部４０内の流入水４４を、排水口４１から導水穴４３を流して地中に浸透させている。
【００２７】
図６は第１の実施形態の変形例を示す図で、図５相当図である。
図６に示す例では、蓋受け枠３３の底部４６と蓋３４との接触部５３を、ゴム製の板状のパッキン６０など弾性部材でシールしている。細長い無端環状のパッキン６０は、底部４６の上面に固着されている。パッキン６０は、貫通孔４１が形成されている位置よりグリーストラップの内部３８側に配置されている。
蓋３４の下面には、Ｌ字状の支持部材６１が全周にわたって配置されており、この支持部材６１をパッキン６０の上に載せると、接触部５３はパッキン６０でシールされる。
【００２８】
図７は第１の実施形態の他の変形例を示す部分拡大斜視図である。
図７に示す蓋受け枠３３では、その外側立ち上がり部５６の一部を切り欠くことにより排水口６２を形成している。また、下端部が地中下部に開口するパイプ６３を縦方向に配置している。
パイプ６３は蓋受け枠３３の横に配置されている。パイプ６３には、排水口６２に一致する場所に開口部６４が形成されている。このようにすれば、パイプ６３の内部が、排水口６２と連通する導水穴６５の機能を発揮する。
これにより、蓋受け枠３３のくぼみ部４０内の流入水を、排水口６２から開口部６４を介して導水穴６５を流して地中に浸透させることができる。
【００２９】
図１ないし図５に示すように、この構成のグリーストラップ２４を設置する場合には、予め貫通孔４１が形成された蓋受け枠３３を容器本体２９に固定したのち、グリーストラップ２４を地中に設置する。そして、貫通孔４１にパイプ４７を縦方向に差し込んだ状態で土砂７０を埋め戻す。
次いで、土砂７０の上にコンクリート（または、アスファルト）７１を流し込んで、このコンクリート７１で蓋受け枠３３等を固定する。
【００３０】
土砂７０やコンクリート７１等が十分に固まった後、パイプ４７を上方に引き抜けば、図５に示すように、貫通孔４１の下部に導水穴４３が形成される。グリーストラップ２４の使用時に、蓋受け３３に蓋３４を取付ければ、グリーストラップ２４の内部３８は外部から遮蔽される。
【００３１】
このグリーストラップ２４において、雨天などの時には、雨水８が、蓋３４の周囲と外側立ち上がり部５６との間の隙間７２から、くぼみ部４０の内部に流れ込む場合がある。
しかし、くぼみ部４０内の流入水４４は、貫通孔４１から導水穴４３を通って地中に浸透するので、グリーストラップの内部３８には浸入しない。
しかも、内側立ち上がり部５５の上端部の接触部５３は、パッキン５４によりシールされているので、くぼみ部４０内に流入する水４４の量が多い場合でも、この接触部５３からグリーストラップの内部３８に水が浸入する恐れはほとんどない。
【００３２】
さらに、蓋３４の取っ手３７の摺動部３７ｂは、シール部材３７ａによりシールされているので、蓋３４の上面の雨水８が、摺動部３７ｂを通ってグリーストラップ２４の内部３８に浸入することを防止することができる。
パッキン５４または６０を介して、蓋３４を蓋受け枠３３に載せるようにしたので、蓋３４の着脱時に接触部５３で騒音が発生することはない。
本実施形態では、蓋受け枠３３の全体で８箇所に貫通孔４１を形成し、この貫通孔４１の下部にそれぞれ導水穴４３を形成した場合を示したが、貫通孔４１と導水穴４３の数は任意に設定することができる。
【００３３】
図３に示すように、本実施形態では蓋受け枠３３を二分割した場合を示したが、三分割以上にしてもよく、または分割しない場合であってもよい。たとえば、蓋受け枠を、二つのユニット３５に分けないで全体で一つの矩形状に一体形成してもよい。
この場合には、一本の掛け渡し部材を蓋受け枠のほぼ中央部に着脱自在に掛け渡して二枚の蓋でグリーストラップを覆うか、または、二本の掛け渡し部材を蓋受け枠の途中に着脱自在に平行に掛け渡して三枚の蓋でグリーストラップを覆い、蓋受け枠と掛け渡し部材とによりこれらの蓋を支持することになる。
【００３４】
したがって、グリーストラップの内部のバスケット２５や接触材２８を出し入れして清掃を行う点検，作業時などには、グリーストラップの蓋を開けて掛け渡し部材を取り外しておけば、掛け渡し部材が作業の邪魔にならないので作業性がよくなる。
なお、掛け渡し部材の上面を長手方向に延びた溝状に形成するとともに、掛け渡し部材と蓋との間をパッキンによりシールするのが好ましい。
このようにすれば、蓋の上の雨水は、掛け渡し部材の上面の溝を流れたのち、蓋受け枠のくぼみ部４０に流れ落ちて最終的には地中に浸透するので、雨水がグリーストラップの内部に浸入することを防止できる。
【００３５】
（第２の実施形態）
図８，図９は本発明の第２の実施形態を示す部分拡大断面図で、グリーストラップの蓋を取り外した状態と取付けた状態とをそれぞれ示している。
図８および図９に示すように、蓋受け枠８０は、グリーストラップ８１の容器本体８２の上端縁に一体的に形成されるとともに、底部８３と外側立ち上がり部８４とを備えている。蓋９０は、蓋受け枠８０に対して着脱自在に取付けられる。
【００３６】
底部８３の上面８６に固着されたパッキン（弾性部材）８７と、底部８３と外側立ち上がり部８４とにより、環状のくぼみ部８８が形成されている。
パッキン８７は、グリーストラップ８１の内部８５側の底部上面８６に固着されており、比較的厚みの厚い形状を有している。パッキン８７の材質としては、防水用のゴム（スポンジゴム）またはエプトシーラー等が好ましい。
底部８３には、くぼみ部８８に流入した雨水８など水を排出するための排水口８９が穿設されている。排水口８９と連通する導水穴９１が地中に縦方向に形成されている。導水穴９１を形成する方法は第１の実施形態と同一である。
【００３７】
くぼみ部８８内の流入水を、排水口８９から導水穴９１を流して地中に浸透させるようにしているので、第１の実施形態と同一の作用効果を奏する。
容器本体８２の上端縁を折曲形成することにより、蓋受け枠８０を容器本体８２と一体的に構成したので、蓋受け枠８０を別途取付ける必要がなくなる。よって、グリーストラップの部品点数が少なくなり、製造が容易になるとともに製造コストを低減することができる。
【００３８】
本発明のグリーストラップ２４，８１では、蓋受け枠と蓋との間から雨水等がグリーストラップ内に浸入することを防止できるので、排水管路３２に雨水などが浸入することがなくなる。また、蓋は蓋受け枠に載せるだけなので、蓋の着脱作業が簡単にできる。
前記各実施形態では、蓋受け枠および蓋が矩形状の場合を示したが、円形状，楕円形状などであってもよい。
グリーストラップの内部には常に排水が溜まっているので、雨水などが導水穴から地中に浸透しても、グリーストラップが地中の水の浮力により浮上することはない。
なお、各図中同一符号は同一または相当部分を示す。
【００３９】
【発明の効果】
本発明は上述のように構成して、排水口と連通する導水穴を地中に縦方向に形成したので、蓋受け枠のくぼみ部内の流入水を、排水口から導水穴を流して地中に浸透させることができることになり、グリーストラップにおける蓋受け枠と蓋との間から雨水などがグリーストラップ内に浸入することを防止できる。
【図面の簡単な説明】
【図１】  図１ないし図７は本発明の第１の実施形態を示す図で、図１は本発明にかかるグリーストラップを使用した排水管路の一部を示す透視図である。
【図２】  水の浸入防止のための施工方法を示す部分拡大断面図である。
【図３】  グリーストラップの蓋受け枠と蓋を示す斜視図である。
【図４】  蓋の取っ手の部分を示す拡大断面図である。
【図５】  グリーストラップが据え付けられた後の使用状態を示す部分拡大断面図である。
【図６】  第１の実施形態の変形例を示す図で、図５相当図である。
【図７】  第１の実施形態の他の変形例を示す部分拡大斜視図である。
【図８】  本発明の第２の実施形態を示す図で、グリーストラップの蓋を取り外した状態を示す部分拡大断面図である。
【図９】  蓋を取付けた状態を示す部分拡大断面図である。
【図１０】  従来のグリーストラップの一部を示す断面図で、図５相当図である。
【符号の説明】
８      雨水（水）
２４，８１    グリーストラップ
２９，８２    容器本体
３２    排水管路
３３，８０    蓋受け枠
３４，９０    蓋
３７    取っ手
３７ａ  シール部材
３７ｂ  摺動部
３８，８５    グリーストラップの内部
４０，８８    くぼみ部
４１    貫通孔（排水口）
４３，９１    導水穴
４４    流入水
４６    底部
４７    パイプ（棒状部材）
４８    水の浸入防止装置
５３    接触部
５４，６０    パッキン（弾性部材）
５６，８４    外側立ち上がり部
８３    底部
８６    上面
８７    パッキン（弾性部材）
８９    排水口
【図１】
0003738132.tif 000002
【図２】
0003738132.tif 000003
【図３】
0003738132.tif 000004
【図４】
0003738132.tif 000005
【図５】
0003738132.tif 000006
【図６】
0003738132.tif 000007
【図７】
0003738132.tif 000008
【図８】
0003738132.tif 000009
【図９】
0003738132.tif 000010
【図１０】
0003738132.tif 000011